(57)【特許請求の範囲】
【請求項１】
本体ケースを発熱体収納装置内に収納し、
第１環境を前記発熱体収納装置の外気側とし、
第２環境を前記発熱体収納装置の内部側として、
前記第１環境の空気と前記第２環境の空気との熱交換を行って前記発熱体収納装置内の冷却を行う発熱体収納装置用冷却装置であって、
前記本体ケースは、前記第１環境用として複数の第１環境吸気口と少なくとも１つ以上の第１環境吐出口を有し、前記第２環境用として少なくとも１つ以上の第２環境吸気口と第２吐出口を有し、
前記本体ケース内に、
前記複数の第１環境吸気口に近接して、前記複数の第１環境吸気口の数に対応して設けられた複数の第１環境送風ファンと、
前記第２環境用の少なくとも１つ以上の第２環境送風ファンと、
前記第１環境の空気と前記第２環境の空気との熱交換を行う熱交換器を備え、
さらに、前記第２環境内の温度に応じて前記熱交換器に流入すべき第１環境の空気の風量と第２環境の空気の風量を勘案し、前記複数の第１環境送風ファンおよび第２環境送風ファンの駆動すべき回転数を判断し回転数指令を発する回転数指令装置と、
前記回転数指令装置の回転数指令に基づいて、前記複数の第１環境送風ファンおよび第２環境送風ファンの回転数制御を行う制御装置とを備え、
前記回転数指令装置は、
前記第２環境内の温度を判断する温度判断手段と、
この温度判断手段で判断した温度により前記第２環境内を冷却すべく前記第１環境送風ファン、第２環境送風ファンの駆動すべき回転数を判断する回転数判断手段と、
前記複数の第１環境送風ファンの各々の回転数がうなり音を発生させない程度の回転数差となるように、回転数指令を決定する回転数補正手段を有し、
この回転数補正手段は、前記発熱体収納装置内の温度の変化が生じたことによって前記複数の第１環境送風ファンの回転数指令を変化させるときには、前記複数の第１環境送風ファンの各々の回転数の高低を切替えて回転数指令を決定することを特徴とする発熱体収納装置用冷却装置。
【請求項２】
前記回転数判断手段は、前記第１環境送風ファンの駆動すべき回転数の基準となる代表の回転数を判断し、
前記回転数補正手段は、前記複数の第１環境送風ファン各々に前記代表の回転数に対して所定の回転数分高低させた補正回転数を回転数指令として決定することを特徴とする請求項１記載の発熱体収納装置用冷却装置。
【請求項３】
本体ケースを発熱体収納装置内に収納し、
第１環境を前記発熱体収納装置の外気側とし、
第２環境を前記発熱体収納装置の内部側として、
前記第１環境の空気と前記第２環境の空気との熱交換を行って前記発熱体収納装置内の冷却を行う発熱体収納装置用冷却装置であって、
前記本体ケースは、前記第１環境用として複数の第１環境吸気口と少なくとも１つ以上の第１環境吐出口を有し、前記第２環境用として少なくとも１つ以上の第２環境吸気口と第２吐出口を有し、
前記本体ケース内に、
前記複数の第１環境吸気口に近接して、前記複数の第１環境吸気口の数に対応して設けられた複数の第１環境送風ファンと、
前記第２環境用の少なくとも１つ以上の第２環境送風ファンと、
前記第１環境の空気と前記第２環境の空気との熱交換を行う熱交換器を備え、
さらに、前記第２環境内の温度に応じて前記熱交換器に流入すべき第１環境の空気の風量と第２環境の空気の風量を勘案し、前記複数の第１環境送風ファンおよび第２環境送風ファンの駆動すべき回転数を判断し回転数指令を発する回転数指令装置と、
前記回転数指令装置の回転数指令に基づいて、前記複数の第１環境送風ファンおよび第２環境送風ファンの回転数制御を行う制御装置とを備え、
前記回転数指令装置は、
前記第２環境内の温度を判断する温度判断手段と、
この温度判断手段で判断した温度により前記第２環境内を冷却すべく前記第１環境送風ファン、第２環境送風ファンの駆動すべき回転数を判断する回転数判断手段を有し、
前記回転数判断手段は、前記第１環境送風ファンの駆動すべき回転数の基準となる代表の回転数を判断し、
前記制御装置は、前記回転数指令装置が判断した代表の回転数を入力して、前記複数の第１環境送風ファンの各々の回転数がうなり音を発生させない程度の回転数差となるように、回転数指令を決定する回転数補正手段を備え、
この回転数補正手段は、前記発熱体収納装置内の温度の変化が生じたことによって前記複数の第１環境送風ファンの回転数指令を変化させるときには、前記複数の第１環境送風ファンの各々の回転数の高低を切替えて回転数指令を決定することを特徴とする発熱体収納装置用冷却装置。
【請求項４】
前記回転数補正手段は、前記代表の回転数が予め決められた回転数よりも大きい場合に、前記複数の第１環境送風ファンの各々の回転数指令がうなり音を発生させない程度の回転数差となるように、回転数指令を決定する請求項２または３記載の発熱体収納装置用冷却装置。
【請求項５】
前記複数の第１環境送風ファン各々が異なる回転数で駆動するように制御装置が回転数制御を行っていることを報知する報知手段を具備した請求項４記載の発熱体収納装置用冷却装置。
【請求項６】
前記回転数補正手段は、前記複数の第１環境送風ファンが一旦停止した後に各々の回転数の高低を逆転させて回転数指令を決定する請求項１乃至５いずれかひとつに記載の発熱体収納装置用冷却装置。
【請求項７】
前記制御装置は、前記複数の第１環境送風ファンの各々の回転数の高低を切替える際に一旦極低回転に下降させた後、高低を切替えて回転数を上昇させることを特徴とする請求項１乃至５いずれかひとつに記載の発熱体収納装置用冷却装置。
【請求項８】
前記回転数補正手段は、前記複数の第１環境送風ファンの回転数速度指示を変化する状況が予め設定した時間が経過しても発生しない場合、前記複数の第１環境送風ファンの各々の回転数の高低を切替えることを特徴とする請求項１乃至５いずれかひとつに記載の発熱体収納装置用冷却装置。
【請求項９】
前記複数の第１環境送風ファンの各々の回転数を記憶する記憶手段を設け、前記回転数補正手段は、停電などの復電時に停電前に運転していた前記複数の第１環境送風ファンの各々の回転数の高低を切替えて駆動させることを特徴とする請求項１乃至８いずれかひとつに記載の発熱体収納装置用冷却装置。
【請求項１０】
前記第２環境送風ファンを少なくとも複数台備え、
前記回転数補正手段は、前記複数の第２環境送風ファンの各々の回転数がうなり音を発生させない程度の回転数差となるように、異なる回転数で駆動させることを特徴とする請求項１乃至９いずれかひとつに記載の発熱体収納装置用冷却装置。
【発明の詳細な説明】
【技術分野】
【０００１】
本発明は、複数の送風ファンを具備した発熱体収納装置用冷却装置における近接する送風ファン間に発生するうなり音を軽減すると共に送風ファンの寿命を均一化させるものである。
【背景技術】
【０００２】
例えば、発熱体収納装置用冷却装置ではないが、送風ファンを２台有する装置では、各々の送風ファンを同一回転数で駆動させることによって生じる僅かな回転数差に起因する不均一な周波数成分から発生するうなり音を軽減させるために、一方の送風ファンの回転数を他方の送風ファンの回転数より高く駆動させる方法が知られている。（これに類似する先行文献としては特許文献１を参照）。
【０００３】
更に、上記の方法に加えて複数の送風ファンを駆動する装置として、各々の送風ファンを異なる回転数で駆動させ、予め決められた時間の経過に伴って交互に回転数を変化させ風速分布に影響が起こらないようにする方法が知られている。（これに類似する先行文献としては特許文献２を参照）。
【０００４】
また、これとは別に複数の送風ファンの各々の回転数を検出する回転数検出回路を各々の送風ファンに対応して備え、これら回転数情報から前記複数の送風ファンを一致させて回す回転数を選び出し全ての送風ファンを一致した回転数で駆動する手法も提案されている。（これに類似する先行文献としては特許文献３を参照）。
【先行技術文献】
【特許文献】
【０００５】
【特許文献１】特開２０００−１７９９２４号公報
【特許文献２】特開２００７−３０９８５３号公報
【特許文献３】特開２００４−２０５０９５号公報
【発明の概要】
【発明が解決しようとする課題】
【０００６】
最近の発熱体収納装置用冷却装置は、発熱体収納装置の小型化に伴って小さく薄型の形状が要求され、小径で薄型の送風ファンを複数具備し高速回転で冷却風量を確保すると共に従来に増してそれぞれの送風ファンが近接されて設置されることとなり、近接する送風ファンと同一回転数で駆動することによって発生する回転数むらによるうなり音の傾向が顕著となり、居住区にも設置される携帯電話基地局などの発熱体収納装置はうなり音という不快音の発生は許容されるものではない。また、小さく薄型であることから発熱体収納装置用冷却装置への経済的なコスト低減要求も求められている。
【０００７】
このような発熱体収納装置用冷却装置において従来の複数台の送風ファンを具備する送風装置ではうなり音を軽減する各種方法が提案されているが、故障時を除き全ての送風ファンが均一に寿命を全うし一度のメンテナンスにより送風ファンを交換できる経済性も必要であり、異なった回転数で回り続けることによって生じる送風ファンの寿命の差を考慮して単純に時間の経過と共に回転数の高低を逆転させてそれぞれの送風ファンの寿命を均一化させようとするが、高低を逆転させる際に必ず同一回転数領域を通過しうなり音が発生することになり、居住区に設置される発熱体収納装置としては許しがたい。
【０００８】
また、近接する複数の送風ファンの同一回転むらによりうなり音を発生させないように極均一の回転数で駆動させるためには、ばらつきの少ない高精度な回転数検知手段と回転数制御手段を要し、経済的ではない。
【０００９】
そこで、本発明は、近接する複数の送風ファンの回転数むらより発生するうなり音を軽減するためにこれら複数の送風ファンを異なる回転数で駆動させるともに送風ファンの寿命を均一化させるために回転数の高低を逆転して切替える際にうなり音を軽減させることのできる経済的な発熱体収納装置用冷却装置を提供することを目的とするものである。
【課題を解決するための手段】
【００１０】
そして、この目的を達成するめに本発明は、
本体ケースを発熱体収納装置内に収納し、
第１環境を前記発熱体収納装置の外気側とし、
第２環境を前記発熱体収納装置の内部側として、
前記第１環境の空気と前記第２環境の空気との熱交換を行って前記発熱体収納装置内の冷却を行う発熱体収納装置用冷却装置であって、
前記本体ケースは、前記第１環境用として複数の第１環境吸気口と少なくとも１つ以上の第１環境吐出口を有し、前記第２環境用として少なくとも１つ以上の第２環境吸気口と第２吐出口を有し、
前記本体ケース内に、
前記複数の第１環境吸気口に近接して、前記複数の第１環境吸気口の数に対応して設けられた複数の第１環境送風ファンと、
前記第２環境用の少なくとも１つ以上の第２環境送風ファンと、
前記第１環境の空気と前記第２環境の空気との熱交換を行う熱交換器を備え、
さらに、前記第２環境内の温度に応じて前記熱交換器に流入すべき第１環境の空気の風量と第２環境の空気の風量を勘案し、前記複数の第１環境送風ファンおよび第２環境送風フ
ァンの駆動すべき回転数を判断し回転数指令を発する回転数指令装置と、
前記回転数指令装置の回転数指令に基づいて、前記複数の第１環境送風ファンおよび第２環境送風ファンの回転数制御を行う制御装置とを備え、
前記回転数指令装置は、
前記第２環境内の温度を判断する温度判断手段と、
この温度判断手段で判断した温度により前記第２環境内を冷却すべく前記第１環境送風ファン、第２環境送風ファンの駆動すべき回転数を判断する回転数判断手段と、
前記複数の第１環境送風ファンの各々の回転数がうなり音を発生させない程度の回転数差となるように、回転数指令を決定する回転数補正手段を有し、
この回転数補正手段は、前記発熱体収納装置内の温度の変化が生じたことによって前記複数の第１環境送風ファンの回転数指令を変化させるときには、前記複数の第１環境送風ファンの各々の回転数の高低を切替えて回転数指令を決定するものであり、これにより所期の目的を達成するものである。
【００１１】
また、本体ケースを発熱体収納装置内に収納し、
第１環境を前記発熱体収納装置の外気側とし、
第２環境を前記発熱体収納装置の内部側として、
前記第１環境の空気と前記第２環境の空気との熱交換を行って前記発熱体収納装置内の冷却を行う発熱体収納装置用冷却装置であって、
前記本体ケースは、前記第１環境用として複数の第１環境吸気口と少なくとも１つ以上の第１環境吐出口を有し、前記第２環境用として少なくとも１つ以上の第２環境吸気口と第２吐出口を有し、
前記本体ケース内に、
前記複数の第１環境吸気口に近接して、前記複数の第１環境吸気口の数に対応して設けられた複数の第１環境送風ファンと、
前記第２環境用の少なくとも１つ以上の第２環境送風ファンと、
前記第１環境の空気と前記第２環境の空気との熱交換を行う熱交換器を備え、
さらに、前記第２環境内の温度に応じて前記熱交換器に流入すべき第１環境の空気の風量と第２環境の空気の風量を勘案し、前記複数の第１環境送風ファンおよび第２環境送風ファンの駆動すべき回転数を判断し回転数指令を発する回転数指令装置と、
前記回転数指令装置の回転数指令に基づいて、前記複数の第１環境送風ファンおよび第２環境送風ファンの回転数制御を行う制御装置とを備え、
前記回転数指令装置は、
前記第２環境内の温度を判断する温度判断手段と、
この温度判断手段で判断した温度により前記第２環境内を冷却すべく前記第１環境送風ファン、第２環境送風ファンの駆動すべき回転数を判断する回転数判断手段を有し、
前記回転数判断手段は、前記第１環境送風ファンの駆動すべき回転数の基準となる代表の回転数を判断し、
前記制御装置は、前記回転数指令装置が判断した代表の回転数を入力して、前記複数の第１環境送風ファンの各々の回転数がうなり音を発生させない程度の回転数差となるように、回転数指令を決定する回転数補正手段を備え、
この回転数補正手段は、前記発熱体収納装置内の温度の変化が生じたことによって前記複数の第１環境送風ファンの回転数指令を変化させるときには、前記複数の第１環境送風ファンの各々の回転数の高低を切替えて回転数指令を決定することにより所期の目的を達成するものである。
【発明の効果】
【００１２】
本発明によれば、本体ケースを発熱体収納装置内に収納し、第１環境を前記発熱体収納装置の外気側とし、第２環境を前記発熱体収納装置の内部側として、前記第１環境の空気と前記第２環境の空気との熱交換を行って前記発熱体収納装置内の冷却を行う発熱体収納
装置用冷却装置であって、
前記本体ケースは、前記第１環境用として複数の第１環境吸気口と少なくとも１つ以上の第１環境吐出口を有し、前記第２環境用として少なくとも１つ以上の第２環境吸気口と第２吐出口を有し、前記本体ケース内に、前記複数の第１環境吸気口に近接して、前記複数の第１環境吸気口の数に対応して設けられた複数の第１環境送風ファンと、前記第２環境用の少なくとも１つ以上の第２環境送風ファンと、前記第１環境の空気と前記第２環境の空気との熱交換を行う熱交換器を備え、さらに、前記第２環境内の温度に応じて前記熱交換器に流入すべき第１環境の空気の風量と第２環境の空気の風量を勘案し、前記複数の第１環境送風ファンおよび第２環境送風ファンの駆動すべき回転数を判断し回転数指令を発する回転数指令装置と、前記回転数指令装置の回転数指令に基づいて、前記複数の第１環境送風ファンおよび第２環境送風ファンの回転数制御を行う制御装置とを備え、前記回転数指令装置は、前記第２環境内の温度を判断する温度判断手段と、この温度判断手段で判断した温度により前記第２環境内を冷却すべく前記第１環境送風ファン、第２環境送風ファンの駆動すべき回転数を判断する回転数判断手段と、前記複数の第１環境送風ファンの各々の回転数がうなり音を発生させない程度の回転数差となるように、回転数指令を決定する回転数補正手段を有し、この回転数補正手段は、前記発熱体収納装置内の温度の変化が生じたことによって前記複数の第１環境送風ファンの回転数指令を変化させるときには、前記複数の第１環境送風ファンの各々の回転数の高低を切替えて回転数指令を決定するという構成にしたことにより、近接する複数の送風ファンの回転数むらより発生するうなり音を軽減するためにこれら複数の送風ファンをうなり音を発生させない程度の回転数差となるような異なる回転数で駆動させるともに送風ファンの寿命を均一化させるために回転数の高低を逆転して切替える際にうなり音を軽減させるという効果を得ることができる。
【００１３】
また、本体ケースを発熱体収納装置内に収納し、第１環境を前記発熱体収納装置の外気側とし、第２環境を前記発熱体収納装置の内部側として、前記第１環境の空気と前記第２環境の空気との熱交換を行って前記発熱体収納装置内の冷却を行う発熱体収納装置用冷却装置であって、
前記本体ケースは、前記第１環境用として複数の第１環境吸気口と少なくとも１つ以上の第１環境吐出口を有し、前記第２環境用として少なくとも１つ以上の第２環境吸気口と第２吐出口を有し、前記本体ケース内に、前記複数の第１環境吸気口に近接して、前記複数の第１環境吸気口の数に対応して設けられた複数の第１環境送風ファンと、前記第２環境用の少なくとも１つ以上の第２環境送風ファンと、前記第１環境の空気と前記第２環境の空気との熱交換を行う熱交換器を備え、さらに、前記第２環境内の温度に応じて前記熱交換器に流入すべき第１環境の空気の風量と第２環境の空気の風量を勘案し、前記複数の第１環境送風ファンおよび第２環境送風ファンの駆動すべき回転数を判断し回転数指令を発する回転数指令装置と、前記回転数指令装置の回転数指令に基づいて、前記複数の第１環境送風ファンおよび第２環境送風ファンの回転数制御を行う制御装置とを備え、前記回転数指令装置は、前記第２環境内の温度を判断する温度判断手段と、この温度判断手段で判断した温度により前記第２環境内を冷却すべく前記第１環境送風ファン、第２環境送風ファンの駆動すべき回転数を判断する回転数判断手段を有し、前記回転数判断手段は、前記第１環境送風ファンの駆動すべき回転数の基準となる代表の回転数を判断し、前記制御装置は、前記回転数指令装置が判断した代表の回転数を入力して、前記複数の第１環境送風ファンの各々の回転数がうなり音を発生させない程度の回転数差となるように、回転数指令を決定する回転数補正手段を備え、この回転数補正手段は、前記発熱体収納装置内の温度の変化が生じたことによって前記複数の第１環境送風ファンの回転数指令を変化させるときには、前記複数の第１環境送風ファンの各々の回転数の高低を切替えて回転数指令を決定するという構成にしたことにより、発熱体収納装置の冷却性能上、複数の第１環境送風ファンの各々の回転数を高くあるいは低く変化する際に生ずる変化音に前記第１環境送風ファンの各々の回転数の高低を切替える際に生じるうなり音を紛らせることとなるので
、うなり音を軽減するとともに前記複数の第１環境送風ファンの寿命も均一化させるという効果を得ることができる。
【図面の簡単な説明】
【００１４】
【図１】本発明の実施の形態１の発熱体収納装置用冷却装置の設置例を示す斜視図
【図２】同発熱体収納装置用冷却装置を示す透視図
【図３】同制御装置のブロック図
【図４】同回転数指令装置のブロック図
【図５】本発明の実施の形態１の他の発熱体収納装置用冷却装置を示す透視図
【図６】本発明の実施の形態２の回転数指令装置のブロック図
【図７】同制御装置のブロック図
【図８】本発明の実施の形態３の発熱体収納装置用冷却装置の制御装置のブロック図
【図９】本発明の実施の形態３の発熱体収納装置用冷却装置を示す透視図
【図１０】本発明の実施の形態４の発熱体収納装置用冷却装置の制御装置のブロック図
【図１１】本発明の実施の形態５の発熱体収納装置用冷却装置の制御装置のブロック図
【図１２】本発明の実施の形態６の発熱体収納装置用冷却装置の送風ファンの回転数変化を示すグラフ
【図１３】本発明の実施の形態７の発熱体収納装置用冷却装置の送風ファンの回転数変化を示すグラフ
【図１４】本発明の実施の形態８の発熱体収納装置用冷却装置の制御装置のブロック図
【発明を実施するための形態】
【００１５】
本発明の請求項１記載の発明は、本体ケースを発熱体収納装置内に収納し、第１環境を前記発熱体収納装置の外気側とし、第２環境を前記発熱体収納装置の内部側として、前記第１環境の空気と前記第２環境の空気との熱交換を行って前記発熱体収納装置内の冷却を行う発熱体収納装置用冷却装置であって、
前記本体ケースは、前記第１環境用として複数の第１環境吸気口と少なくとも１つ以上の第１環境吐出口を有し、前記第２環境用として少なくとも１つ以上の第２環境吸気口と第２吐出口を有し、前記本体ケース内に、前記複数の第１環境吸気口に近接して、前記複数の第１環境吸気口の数に対応して設けられた複数の第１環境送風ファンと、前記第２環境用の少なくとも１つ以上の第２環境送風ファンと、前記第１環境の空気と前記第２環境の空気との熱交換を行う熱交換器を備え、さらに、前記第２環境内の温度に応じて前記熱交換器に流入すべき第１環境の空気の風量と第２環境の空気の風量を勘案し、前記複数の第１環境送風ファンおよび第２環境送風ファンの駆動すべき回転数を判断し回転数指令を発する回転数指令装置と、前記回転数指令装置の回転数指令に基づいて、前記複数の第１環境送風ファンおよび第２環境送風ファンの回転数制御を行う制御装置とを備え、前記回転数指令装置は、前記第２環境内の温度を判断する温度判断手段と、この温度判断手段で判断した温度により前記第２環境内を冷却すべく前記第１環境送風ファン、第２環境送風ファンの駆動すべき回転数を判断する回転数判断手段と、前記複数の第１環境送風ファンの各々の回転数がうなり音を発生させない程度の回転数差となるように、回転数指令を決定する回転数補正手段を有し、この回転数補正手段は、前記発熱体収納装置内の温度の変化が生じたことによって前記複数の第１環境送風ファンの回転数指令を変化させるときには、前記複数の第１環境送風ファンの各々の回転数の高低を切替えて回転数指令を決定するという構成を有する。これにより、近接する複数の送風ファンの回転数むらより発生するうなり音を軽減するためにこれら複数の送風ファンをうなり音を発生させない程度の回転数差となるような異なる回転数で駆動させるともに送風ファンの寿命を均一化させるために回転数の高低を逆転して切替える際にうなり音を軽減させる。また、発熱体収納装置の
冷却性能上、複数の第１環境送風ファンの各々の回転数を高くあるいは低く変化する際に生ずる変化音に前記第１環境送風ファンの各々の回転数の高低を切替える際に生じるうなり音を紛らせることとなるので、うなり音を軽減するとともに前記複数の第１環境送風ファンの寿命も均一化させるという効果を奏する。
【００１６】
また、前記回転数判断手段は、前記第１環境送風ファンの駆動すべき回転数の基準となる代表の回転数を判断し、前記回転数補正手段は、前記複数の第１環境送風ファン各々に前記代表の回転数に対して所定の回転数分高低させた補正回転数を回転数指令として決定するという構成を有する。これにより、発熱体収納装置の冷却性能上、複数の第１環境送風ファンの各々の回転数を高くあるいは低く変化する際に生ずる変化音に前記第１環境送風ファンの各々の回転数の高低を切替える際に生じるうなり音を紛らせることとなるので、うなり音を軽減するとともに前記複数の第１環境送風ファンの寿命も均一化させるという効果を奏する。
【００１７】
また、本体ケースを発熱体収納装置内に収納し、第１環境を前記発熱体収納装置の外気側とし、第２環境を前記発熱体収納装置の内部側として、前記第１環境の空気と前記第２環境の空気との熱交換を行って前記発熱体収納装置内の冷却を行う発熱体収納装置用冷却装置であって、
前記本体ケースは、前記第１環境用として複数の第１環境吸気口と少なくとも１つ以上の第１環境吐出口を有し、前記第２環境用として少なくとも１つ以上の第２環境吸気口と第２吐出口を有し、前記本体ケース内に、前記複数の第１環境吸気口に近接して、前記複数の第１環境吸気口の数に対応して設けられた複数の第１環境送風ファンと、前記第２環境用の少なくとも１つ以上の第２環境送風ファンと、前記第１環境の空気と前記第２環境の空気との熱交換を行う熱交換器を備え、さらに、前記第２環境内の温度に応じて前記熱交換器に流入すべき第１環境の空気の風量と第２環境の空気の風量を勘案し、前記複数の第１環境送風ファンおよび第２環境送風ファンの駆動すべき回転数を判断し回転数指令を発する回転数指令装置と、前記回転数指令装置の回転数指令に基づいて、前記複数の第１環境送風ファンおよび第２環境送風ファンの回転数制御を行う制御装置とを備え、前記回転数指令装置は、前記第２環境内の温度を判断する温度判断手段と、この温度判断手段で判断した温度により前記第２環境内を冷却すべく前記第１環境送風ファン、第２環境送風ファンの駆動すべき回転数を判断する回転数判断手段を有し、前記回転数判断手段は、前記第１環境送風ファンの駆動すべき回転数の基準となる代表の回転数を判断し、前記制御装置は、前記回転数指令装置が判断した代表の回転数を入力して、前記複数の第１環境送風ファンの各々の回転数がうなり音を発生させない程度の回転数差となるように、回転数指令を決定する回転数補正手段を備え、この回転数補正手段は、前記発熱体収納装置内の温度の変化が生じたことによって前記複数の第１環境送風ファンの回転数指令を変化させるときには、前記複数の第１環境送風ファンの各々の回転数の高低を切替えて回転数指令を決定するという構成を有する。これにより、近接する複数の送風ファンの回転数むらより発生するうなり音を軽減するためにこれら複数の送風ファンをうなり音を発生させない程度の回転数差となるような異なる回転数で駆動させるともに送風ファンの寿命を均一化させるために回転数の高低を逆転して切替える際にうなり音を軽減させる。また、発熱体収納装置の冷却性能上、複数の第１環境送風ファンの各々の回転数を高くあるいは低く変化する際に生ずる変化音に前記第１環境送風ファンの各々の回転数の高低を切替える際に生じるうなり音を紛らせることとなるので、うなり音を軽減するとともに前記複数の第１環境送風ファンの寿命も均一化させるという効果を奏する。
【００１８】
また、前記回転数補正手段は、前記代表の回転数が予め決められた回転数よりも大きい場合に、前記複数の第１環境送風ファンの各々の回転数指令がうなり音を発生させない程度の回転数差となるように、回転数指令を決定するという構成を有する。これにより、回転数を異ならせて制御する領域を減らすことができ、複数の第１環境送風ファンの各々の
回転数の高低を切替える煩雑さが減ることとなるので、装置の容易さが可能となり経済的な装置を提供できるという効果を奏する。
【００１９】
また、前記複数の第１環境送風ファン各々が異なる回転数で駆動するように制御装置が回転数制御を行っていることを報知する報知手段を具備したという構成を有する。これにより、複数の第１環境送風ファンの各々の回転数を異なる状態で運転していることが報知されるので、うなり音軽減動作中であることを認知できるという効果を奏する。
【００２０】
また、前記回転数補正手段は、前記複数の第１環境送風ファンが一旦停止した後に各々の回転数の高低を逆転させて回転数指令を決定するという構成を有する。これにより、複数の第１環境送風ファンの停止後に各々の回転数の高低を切替えることとなるので、うなり音を発生せずに送風ファンの寿命も均一化させるという効果を奏する。
【００２１】
また、前記制御装置は、前記複数の第１環境送風ファンの各々の回転数の高低を切替える際に一旦極低回転に下降させた後、高低を切替えて回転数を上昇させるという構成を有する。これにより、複数の第１環境送風ファンを極低回転にて回転数の高低を切替えることとなるので、周期の長い脈動成分のためにうなり音を軽減して回転数を切替え送風ファンの寿命も均一化させるという効果を奏する。
【００２２】
また、前記回転数補正手段は、前記複数の第１環境送風ファンの回転数速度指示を変化する状況が予め設定した時間が経過しても発生しない場合、前記複数の第１環境送風ファンの各々の回転数の高低を切替えるという構成を有する。これにより、第１環境送風ファンの各々の回転数の変わらない状況においても回転数の高低を切替えることとなるので、送風ファンの寿命も均一化させるという効果を奏する。
【００２３】
また、前記複数の第１環境送風ファンの各々の回転数を記憶する記憶手段を設け、前記回転数補正手段は、停電などの復電時に停電前に運転していた前記複数の第１環境送風ファンの各々の回転数の高低を切替えて駆動させるという構成を有する。これにより、復電後、記憶手段に記憶されていた停電直前の複数の第１環境送風ファンの各々の回転数の状態が判るので、複数の第１環境送風ファンの停止後に各々の回転数の高低を切替えて再起動させることができ、うなり音を発生せずに送風ファンの寿命も均一化させるという効果を奏する。
【００２４】
また、前記第２環境送風ファンを少なくとも複数台備え、前記回転数補正手段は、前記複数の第２環境送風ファンの各々の回転数がうなり音を発生させない程度の回転数差となるように、異なる回転数で駆動させるという構成を有する。これにより、複数の第２環境送風ファンによる発熱体収納装置内部で発生するうなり音が軽減されキャビネと外郭を通じて振動として漏れ伝わるうなり音も軽減させることになるので、より相乗効果の高い低騒音化された発熱体収納装置を提供できるという効果を奏する。
【００２５】
以下、本発明の実施の形態について図面を参照しながら説明する。
【００２６】
（実施の形態１）
図１および図２に示すように、ビルディング１の屋上２には携帯電話基地局３が設けられている。携帯電話基地局３は、発熱体収納装置である箱状のキャビネット４とこのキャビネット４内に設けた複数の通信機５と前記キャビネット４の前面開口部にドアのごとく開閉自在に設けた発熱体収納装置用冷却装置６とにより構成されている。
【００２７】
前記発熱体収納装置用冷却装置６は、図２に示すように、キャビネット４の外気である第１環境用の２つの第１環境吸気口７ａおよび第１環境吸気口７ｂと第１環境吐出口８お
よびキャビネット４内（第２環境）用の２つの第２環境吸気口９ａおよび第２環境吸気口９ｂと第２環境吐出口１０を有する本体ケース１１と、この本体ケース１１内に設けられた外気（第１環境）用の２つの第１環境送風ファン１２ａと第１環境送風ファン１２ｂおよびキャビネット４内（第２環境）用の２つの第２環境送風ファン１３ａと第２環境送風ファン１３ｂと、前記本体ケース１１内において外気（第１環境）の空気とキャビネット４内（第２環境）の空気との熱交換を行う熱交換器１４とを備えている。
【００２８】
また、発熱体収納装置用冷却装置６は、第１環境送風ファン１２ａ、第１環境送風ファン１２ｂ、第２環境送風ファン１３ａおよび第２環境送風ファン１３ｂを制御する制御装置１５を備えている。
【００２９】
そして、発熱体収納装置のキャビネット４内の温度に応じてこの発熱体収納装置を冷却すべく前記熱交換器１４に流入すべき第１環境の空気の風量と第２環境の空気の風量を勘案し、前記第１環境送風ファン１２ａ、第１環境送風ファン１２ｂ、第２環境送風ファン１３ａおよび第２環境送風ファン１３ｂの駆動すべき回転数を判断し回転数指令を発する回転数指令手段としての回転数指令装置１６を前記キャビネット４内に備えている。
【００３０】
図３に示すようにこの回転数指令を前記制御装置１５に送信する通信線１７で接続されている。
【００３１】
さらに、図３に示すように、制御装置１５は、回転数指令装置１６と通信線１７に接続されて、この制御装置１５内に備えたコントロール基板１８が、この回転数指令装置１６から送信されてくる第１環境送風ファン１２ａ、第１環境送風ファン１２ｂ、第２環境送風ファン１３ａおよび第２環境送風ファン１３ｂの回転数指令を受信し、第１環境送風ファン１２ａ、第１環境送風ファン１２ｂ、第２環境送風ファン１３ａおよび第２環境送風ファン１３ｂ対応し駆動させる第１のインバーター１９、第２のインバーター２０、第３のインバーター２１および第４のインバーター２２を制御する。キャビネット４に供給される外部電源（図示せず）を変換した直流電源２３に接続された制御装置１５の内部で、この直流電源２３がこれらコントロール基板１８、第１のインバーター１９、第２のインバーター２０、第３のインバーター２１および第４インバーター２２に接続され給電されている。
【００３２】
一方、図４に示すように前記回転数指令装置１６は、キャビネット４内の温度を判断する温度判断手段２４とこの温度判断手段２４によりこの発熱体収納装置を冷却すべく前記熱交換器１４に流入すべき第１環境の空気の風量と第２環境の空気の風量を勘案し、前記第１環境送風ファン１２ａ、第１環境送風ファン１２ｂ、第２環境送風ファン１３ａおよび第２環境送風ファン１３ｂの駆動すべき回転数を判断する回転数判断手段２５と更に前記第１環境送風ファン１２ａ、第１環境送風ファン１２ｂを異なる回転数で駆動させるために回転数を補正する回転数補正手段２６からなり、最終的に決定された前記第１環境送風ファン１２ａ、第１環境送風ファン１２ｂ、第２環境送風ファン１３ａおよび第２環境送風ファン１３ｂの駆動すべき回転数が回転数指令値として前記制御装置１５に送信される。
【００３３】
このような構成によれば、キャビネット４内の温度を判断した温度判断手段２４により回転数判断手段２５において、第１環境送風ファン１２ａおよび第１環境送風ファン１２ｂの回転数指令値Ｒ１、同様に第２環境送風ファン１３ａおよび第２環境送風ファン１３ｂの回転数指令値Ｒ２が判断され、更に第１環境送風ファン１２ａおよび第１環境送風ファン１２ｂを異なる回転数で駆動させるために回転数補正手段２６により第１環境送風ファン１２ａの回転数をＲ１＋△Ｒ１（＝Ｒ１１）で駆動することし、第１環境送風ファン１２ｂの回転数をＲ１−△Ｒ１（＝Ｒ１２）として最終的に決定され、制御装置１５に送
信する。制御装置１５内のコントロール基板１８では受信した回転数指令に基づき第１のインバーター１９、第２のインバーター２０、第３のインバーター２１および第４のインバーター２２を制御し、第１環境送風ファン１２ａ、第１環境送風ファン１２ｂ、第２環境送風ファン１３ａおよび第２環境送風ファン１３ｂを回転数指令値通りに回転させる。ここでＲ１１とＲ１２の差、即ち２×△Ｒ１は、うなり音を発生させない程度の回転数差であり、予め、回転数補正手段２６に格納された値である。
【００３４】
これにより、第１環境送風ファン１２ａ、第１環境送風ファン１２ｂの回転によるうなり音の発生がない状態でキャビネット４の外気とキャビネット４内の空気が熱交換器１４に流れ、キャビネット４内の発熱した空気の熱が外気に廃熱され、キャビネット４内の空気が冷却されることとなる。
【００３５】
この運転状態の後、携帯電話の通話状態などにより通信機５の仕事量が変化、あるいはキャビネット４への直射日光の日射状態などの外気状態の変化によりしばらくするとキャビネット４内の温度が変化し、第１環境送風ファン１２ａ、第１環境送風ファン１２ｂ、第２環境送風ファン１３ａおよび第２環境送風ファン１３ｂの回転数を変化させる必要が発生し、前記回転数指令装置１６内のキャビネット４内の温度変化を判断した温度判断手段２４により回転数判断手段２５において、新たな第１環境送風ファン１２ａおよび第１環境送風ファン１２ｂの回転数指令値Ｒ３、同様に第２環境送風ファン１３ａおよび第２環境送風ファン１３ｂの回転数指令値Ｒ４が判断され、回転数補正手段２６では、第１環境送風ファン１２ａの回転数を今度は△Ｒ３引くこととしＲ３−△Ｒ３（＝Ｒ３１）とし、第１環境送風ファン１２ｂの回転数指令値を△Ｒ３加えることし、Ｒ３＋△Ｒ３（＝Ｒ３２）と、回転数の高低差を逆転させるように最終的に決定され、制御装置１５に送信し、制御装置１５内のコントロール基板１８では受信した回転数指令に基づき第１のインバーター１９、第２のインバーター２０、第３のインバーター２１および第４のインバーター２２を制御し、第１環境送風ファン１２ａ、第１環境送風ファン１２ｂ、第２環境送風ファン１３ａおよび第２環境送風ファン１３ｂを回転数指令値通りに回転させる。
【００３６】
従って、第１環境送風ファン１２ａおよび第１環境送風ファン１２ｂの回転数が変化する際にこれら第１環境送風ファン１２ａと第１環境送風ファン１２ｂの回転数の高低を切替えることができ、僅かな期間に発生するうなり音を、第１環境送風ファン１２ａ、第１環境送風ファン１２ｂの回転数が変化する際に発生する変化音に紛れてさせることができ、これにより、うなり音を軽減しながら各々の回転数の高低も切替えることができるので回転数の差に起因する送風ファンの寿命も均一化させることができる。
【００３７】
なお、本実施の形態では、全ての回転数領域に於いて、第１環境送風ファン１２ａと第１環境送風ファン１２ｂに回転数差を設けて駆動させるように説明したが、回転数が低く回転数むらによるうなり音が軽減されている領域では本操作を省く構成にしても良く、以降の実施例でも同様である。
【００３８】
また、図１では、携帯電話基地局３をビルディング１の屋上２に設置されるものとして説明したが、地上に設置されたものでも作用効果に差はなく、以降の実施例でも同様である。
【００３９】
また、外部環境に面している第１環境用送風ファン１２ａおよび第１環境送風ファン１２ｂのみにうなり音を軽減するため回転数差を付ける駆動を行っても外部環境に放出する音という意味では作用効果に差はなく、以降の実施例でも同様である。
【００４０】
また、近接する送風ファンに回転数差を設ける制御を第１環境送風ファンにのみ実施したが、第２環境送風ファンにも第１環境送風ファン同様の制御を行うことにより、キャビ
ネット４内で発生するうなり音を軽減し、引いてはキャビネット４の外郭を通して振動などにより発生するうなり音を軽減し、更なる低騒音効果を挙げることは明らかであり、以降の実施例でも同様である。
【００４１】
また、図５に示すように、第２環境送風ファンが本体ケースになく発熱体収納装置のキャビネット４内に設置されている発熱体収納装置に於いても同様の作用効果を有することは明らかであり、以降の実施例でも同様である。
【００４２】
（実施の形態２）
さて、本実施の形態では、図６および図７に示すとおり、実施の形態１において回転数指令装置１６内に備えていた回転数補正手段２６ｂを制御装置１５内に備えたものである。なお、実施の形態１と同一構成部分については、同一符号を用いてその詳細な説明は省略する。
【００４３】
すなわち、制御装置１５内のコントロール基板１８に回転数補正手段２６を備えたので、一旦、回転数指令装置１６より送信された第１環境送風ファン１２ａと第１環境送風ファン１２ｂの回転数指令値Ｒ１をこの回転数補正手段２６に通すことにより第１環境送風ファン１２ａおよび第１環境送風ファン１２ｂを異なる回転数で駆動させるべく、各々、Ｒ１＋△Ｒ１（＝Ｒ１１）、Ｒ１−△Ｒ１（＝Ｒ１２）の回転数を決定をし、第１のインバーター１９と第２のインバーター２０をこれら回転数で駆動するように制御する。ここでＲ１１とＲ１２の差、即ち２×△Ｒ１は、うなり音を発生させない程度の回転数差であり、予め、コントロール基板１８に格納された値である。
【００４４】
これにより、第１環境送風ファン１２ａ、第１環境送風ファン１２ｂの回転によるうなり音の発生がない状態でキャビネット４の外気とキャビネット４内の空気が熱交換器１４に流れ、キャビネット４内の発熱した空気の熱が外気に廃熱され、キャビネット４内の空気が冷却されることとなる。
【００４５】
この運転状態の後、携帯電話の通話状態などにより通信機５の仕事量が変化、あるいはキャビネット４への直射日光の日射状態などの外気状態の変化によりしばらくするとキャビネット４内の温度が変化し、第１環境送風ファン１２ａ、第１環境送風ファン１２ｂ、第２環境送風ファン１３ａおよび第２環境送風ファン１３ｂの回転数を変化させる必要が発生し、前記回転数指令装置１６内のキャビネット４内の温度変化を判断した温度判断手段２４により回転数判断手段２５において、新たな第１環境送風ファン１２ａおよび第１環境送風ファン１２ｂの回転数指令値Ｒ３、同様に第２環境送風ファン１３ａおよび第２環境送風ファン１３ｂの回転数指令値Ｒ４が判断されて前記制御装置１５に送信し、この制御装置１５内に備えた回転数補正手段２６ｂでは、第１環境送風ファン１２ａの回転数を今度は△Ｒ３引くこととしＲ３−△Ｒ３（＝Ｒ３１）とし、第１環境送風ファン１２ｂの回転数指令値を△Ｒ３加えることし、Ｒ３＋△Ｒ３（＝Ｒ３２）と、回転数の高低を切替えるように最終的に決定され、回転数指令に基づき第１のインバーター１９、第２のインバーター２０、第３のインバーター２１および第４のインバーター２２を制御し、第１環境送風ファン１２ａ、第１環境送風ファン１２ｂ、第２環境送風ファン１３ａおよび第２環境送風ファン１３ｂを回転数指令値通りに回転させる。
【００４６】
従って、第１環境送風ファン１２ａおよび第１環境送風ファン１２ｂの回転数が変化する際にこれら第１環境送風ファン１２ａと第１環境送風ファン１２ｂの回転数の高低を切替えることができ、僅かな期間に発生するうなり音を、第１環境送風ファン１２ａ、第１環境送風ファン１２ｂの回転数が変化する際に発生する変化音に紛れてさせることができ、これにより、うなり音を軽減しながら各々の回転数の高低も切替えることができるので回転数の差に起因する送風ファンの寿命も均一化させることができる。
【００４７】
また、回転数補正手段２６を発熱体収納装置用冷却装置６に備えた制御装置１５内に備えたことにより、回転数指令装置１６からの回転数指令値を第１環境送風ファン１２ａと第１環境送風ファン１２ｂの各々の回転数指令値ではなく共通の回転数指令値を送信するだけで済み、通信量が少なくより簡易な通信システムを構成することにより経済的な発熱体収納装置用冷却装置とすることができる。
【００４８】
（実施の形態３）
さて、本実施の形態では、図８および図９に示すとおり、実施の形態１において回転数指令装置１６より第１環境送風ファン１２ａ、第１環境送風ファン１２ｂ、第２環境送風ファン１３ａおよび第２環境送風ファン１３ｂの回転数指令を決定していたが、通信手段ではなく、発熱体収納装置用冷却装置６の第２環境吸気口９ａおよび第２環境吸気口９ｂの内部チャンバー２７内に第２環境すなわちキャビネット４内の温度を検知する温度検知手段としてのサーミスター２８を備え、コントロール基板１８にこのサーミスター２８を接続し、前記第１環境送風ファン１２ａ、第１環境送風ファン１２ｂ、第２環境送風ファン１３ａおよび第２環境送風ファン１３ｂの駆動すべき回転数を判断する回転数判断手段２５ａと更に前記第１環境送風ファン１２ａ、第１環境送風ファン１２ｂを異なる回転数で駆動させるために回転数を補正する回転数補正手段２６ｂを同様に前記コントロール基板１８に備えたものである。なお、実施の形態１と同一構成部分については、同一符号を用いてその詳細な説明は省略する。
【００４９】
すなわち、サーミスター２８をコントロール基板１８に接続し、コントロール基板１８に回転数判断手段２５ａ回転数補正手段２６ｂを備えたので、外気を送風する第１環境送風ファン１２ａと第１環境送風ファン１２ｂおよびキャビネット４内の空気を循環させる第２環境送風ファン１３ａと第２環境送風ファン１３ｂの必要な回転数を判別できるので、それぞれＲ１＋△Ｒ１（＝Ｒ１１）、Ｒ１−△Ｒ１（＝Ｒ１２）、Ｒ２の回転数指示を第１のインバーター１９と第２のインバーター２０、および第３のインバーター２１と第４のインバーター２２をこれら回転数で駆動するように制御するここでＲ１１とＲ１２の差、即ち２×△Ｒ１は、うなり音を発生させない程度の回転数差であり、予め、コントロール基板１８に実装されたマイコン（図示せず）に格納された値である。
【００５０】
これにより、第１環境送風ファン１２ａ、第１環境送風ファン１２ｂの回転によるうなり音の発生がない状態でキャビネット４の外気とキャビネット４内の空気が熱交換器１４に流れ、キャビネット４内の発熱した空気の熱が外気に廃熱され、キャビネット４内の空気が冷却されることとなる。
【００５１】
この運転状態の後、携帯電話の通話状態などにより通信機５の仕事量が変化、あるいはキャビネット４への直射日光の日射状態などの外気状態の変化によりしばらくするとキャビネット４内の温度が変化し、第１環境送風ファン１２ａ、第１環境送風ファン１２ｂ、第２環境送風ファン１３ａおよび第２環境送風ファン１３ｂの回転数を変化させる必要が発生し、前記回転数指令装置１６内のキャビネット４内の温度変化を判断した温度判断手段２４により回転数判断手段２５において、新たな第１環境送風ファン１２ａおよび第１環境送風ファン１２ｂの回転数指令値Ｒ３、同様に第２環境送風ファン１３ａおよび第２環境送風ファン１３ｂの回転数指令値Ｒ４が判断されて前記制御装置１５に送信し、この制御装置１５内に備えた回転数補正手段２６ｂでは、第１環境送風ファン１２ａの回転数を今度は△Ｒ３引くこととしＲ３−△Ｒ３（＝Ｒ３１）とし、第１環境送風ファン１２ｂの回転数指令値を△Ｒ３加えることし、Ｒ３＋△Ｒ３（＝Ｒ３２）と、回転数の高低を切替えるように最終的に決定され、回転数指令に基づき第１のインバーター１９、第２のインバーター２０、第３のインバーター２１および第４のインバーター２２を制御し、第１環境送風ファン１２ａ、第１環境送風ファン１２ｂ、第２環境送風ファン１３ａおよび第
２環境送風ファン１３ｂを回転数指令値通りに回転させる。
【００５２】
従って、第１環境送風ファン１２ａおよび第１環境送風ファン１２ｂの回転数が変化する際にこれら第１環境送風ファン１２ａと第１環境送風ファン１２ｂの回転数の高低を切替えることができ、僅かな期間に発生するうなり音を、第１環境送風ファン１２ａ、第１環境送風ファン１２ｂの回転数が変化する際に発生する変化音に紛れてさせることができ、これにより、うなり音を軽減しながら各々の回転数の高低も切替えることができるので回転数の差に起因する送風ファンの寿命も均一化させることができる。
【００５３】
また、発熱体収納装置用冷却装置６内に温度検知手段としてのサーミスター２８を備え、コントロール基板１８にこのサーミスター２８を接続し、前記第１環境送風ファン１２ａ、第１環境送風ファン１２ｂ、第２環境送風ファン１３ａおよび第２環境送風ファン１３ｂの駆動すべき回転数を判断する回転数判断手段２５と更に前記第１環境送風ファン１２ａ、第１環境送風ファン１２ｂを異なる回転数で駆動させるために回転数を補正する回転数補正手段２６を同様に前記コントロール基板１８に備えたことにより、発熱体収納装置用冷却装置６のみで第１環境送風ファン１２ａと第１環境送風ファン１２ｂの回転数の差に起因するうなり音を勘案して回転数制御を行うキャビネット４からの通信線１７を必要としないより経済的な発熱体収納装置用冷却装置とすることができる。
【００５４】
（実施の形態４）
図１０に示すように、本実施の形態は、実施の形態１乃至実施の形態３で説明した内容に加えて、コントロール基板１８に回転数の記憶手段である外部メモリー２９を備えて接続したものである。なお、実施の形態１、実施の形態２あるいは実施の形態３と同一構成部分については、同一符号を用いてその詳細な説明は省略する。
【００５５】
このような構成により、コントロール基板１８で判断し、第１のインバーター１９と第２のインバーター２０、および第３のインバーター２１と第４のインバーター２２に行った回転数指令値Ｒ１＋△Ｒ１（＝Ｒ１１）、Ｒ１−△Ｒ１（＝Ｒ１２）、Ｒ２を外部メモリー２９に格納しておき、回転数指令値を変更する毎に新たな回転数指令値、例えば、Ｒ３−△Ｒ３（＝Ｒ３１）、Ｒ３＋△Ｒ３（＝Ｒ３２）、Ｒ４を新たに格納しておく。そして、直流電源２３が停電などにより給電が長期にわたり（例えば、０．２秒以上）遮断された場合、第１環境送風ファン１２ａ、第１環境送風ファン１２ｂ、第２環境送風ファン１３ａおよび第２環境送風ファン１３ｂを動作継続がさせることができず停止し、更にはコントロール基板１８のマイコンへの給電も停止し、前記直流電源２３の復電後、停電前の直近の回転数指令値が判明できない場合に、前記外部メモリー２９に記憶された回転数指令値を読み出し、停電前の直近の回転数指令値を確認するとともに回転数の高低を理解する。そして、新たな回転数指示として第１環境送風ファン１２ａと第１環境送風ファン１２ｂが例えばＲ５である場合、直近の回転数指示が、例えばＲ３＋△Ｒ３（＝Ｒ３１）、Ｒ３−△Ｒ３（＝Ｒ３２）であった場合、第１環境送風ファン１２ａの回転数指令値をＲ５−△Ｒ５（＝Ｒ５１）、第１環境送風ファン１２ｂの回転数指令値をＲ５＋△Ｒ５（＝Ｒ５２）と回転数の高低を切替えて駆動させる。
【００５６】
従って、第１環境送風ファン１２ａおよび第１環境送風ファン１２ｂの停止後に再起動する際に第１環境送風ファン１２ａおよび第１環境送風ファン１２ｂの回転数の高低を切替えることができ、これにより、うなり音を発生させることなく、各々の回転数の高低も切替えることができるので回転数の差に起因する送風ファンの寿命も均一化させることができる。
【００５７】
（実施の形態５）
図１１に示すように、本実施の形態は、実施の形態１乃至実施の形態４で説明した内容
に加えて、コントロール基板１８にうなり音を軽減するために回転数差を付けて第１環境送風ファン１２ａ、第１環境送風ファン１２ｂを動作させていることを報知する報知手段としてのＬＥＤ３０を備えたものである。なお、実施の形態１乃至実施の形態４と同一構成部分については、同一符号を用いてその詳細な説明は省略する。
【００５８】
このような構成により、実施の形態１のなお書きで記述した通り、回転数むらにより生じるうなり音は回転数が極低回転では起こりづらいことが判っているので、全回転数領域にわたって回転数差を設けて第１環境送風ファン１２ａ、第１環境送風ファン１２ｂを駆動させる必要はない。そこで、回転数差が必要な回転数領域でのみ回転数差を設けて第１環境送風ファン１２ａ、第１環境送風ファン１２ｂを駆動させている場合に、ＬＥＤ３０を発光させることにより、回転数差を設けた駆動を行っていること報知することができ、回転数の全領域で回転数差による駆動をさせることなく動作が煩雑でない経済的な装置を構成することができる。
【００５９】
なお、ＬＥＤ３０の発光形態は点灯や点滅など、発光が識別できれば作用効果に差がないことは明らかである。
【００６０】
（実施の形態６）
図１２に示すように、本実施の形態は、実施の形態１乃至実施の形態３で説明した内容に対し、第１環境送風ファン１２ａおよび第１環境送風ファン１２ｂの回転数の高低を切替える場合に、回転数を変化させなければならなくなった場合に次の回転数指令値に変化する前に必ずうなり音の影響のない極低回転数ＲＳＬに回転数を下降させた状態で回転数の高低を切替えて所望の変化させる回転数に上昇させるものであり、よりうなり音の低減効果の高く、回転数の差に起因する送風ファンの寿命も均一化させることができる。
【００６１】
（実施の形態７）
図１３に示すように、本実施の形態は、実施の形態１乃至実施の形態３で説明した内容に対し、第１環境送風ファン１２ａおよび第１環境送風ファン１２ｂの回転数の高低を切替える場合に、第１環境送風ファン１２ａおよび第１環境送風ファン１２ｂが外気温の極低温により停止する場合に、再起動する際に第１環境送風ファン１２ａおよび第１環境送風ファン１２ｂの回転数の高低を切替えて所望の回転数に上昇させるものであり、よりうなり音の軽減効果の高く、回転数の差に起因する送風ファンの寿命も均一化させることができる。
【００６２】
（実施の形態８）
図１４に示すように、本実施の形態は、コントロール基板１８内に時間積算手段としてのタイマーカウンター３１を備えたもので、実施の形態１乃至実施の形態７で説明するような第１環境送風ファン１２ａおよび第１環境送風ファン１２ｂの回転数を変化させる状況が回転数を指示してから予め設定した時間Ｔ（例えば１時間）が経過しても起きなかった場合に、意図的に第１環境送風ファン１２ａおよび第１環境送風ファン１２ｂの回転数の高低を切替えるものである。
【００６３】
この構成により、時間Ｔが経過した後に意図的に第１環境送風ファン１２ａおよび第１環境送風ファン１２ｂの回転数の高低を切替え、回転数の差に起因する送風ファンの寿命も均一化を確実に行うことができる。
【産業上の利用可能性】
【００６４】
本発明にかかる発熱体収納装置用冷却装置は、複数の送風ファンを同時に駆動させながらもうなり音を軽減することが可能で、更に送風ファンの寿命を均一化させるものであるので、住宅環境下で使用される発熱体収納装置の発熱体収納装置用冷却装置等として有用
である。
【符号の説明】
【００６５】
１      ビルディング
２      屋上
３      携帯電話基地局
４      キャビネット
５      通信機
６      発熱体収納装置用冷却装置
７ａ    第１環境吸気口
７ｂ    第１環境吸気口
８      第１環境吐出口
９ａ    第２環境吸気口
９ｂ    第２環境吸気口
１０    第２環境吐出口
１１    本体ケース
１２ａ  第１環境送風ファン
１２ｂ  第１環境送風ファン
１３ａ  第２環境送風ファン
１３ｂ  第２環境送風ファン
１４    熱交換器
１５    制御装置
１６    回転数指令装置
１７    通信線
１８    コントロール基板
１９    第１のインバーター
２０    第２のインバーター
２１    第３のインバーター
２２    第４のインバーター
２３    直流電源
２４    温度判断手段
２５    回転数判断手段
２６    回転数補正手段
２７    内部チャンバー
２８    サーミスター
２９    外部メモリー
３０    ＬＥＤ
３１    タイマーカウンター
【図１】
0005532976.tif 000002
【図２】
0005532976.tif 000003
【図３】
0005532976.tif 000004
【図４】
0005532976.tif 000005
【図５】
0005532976.tif 000006
【図６】
0005532976.tif 000007
【図７】
0005532976.tif 000008
【図８】
0005532976.tif 000009
【図９】
0005532976.tif 000010
【図１０】
0005532976.tif 000011
【図１１】
0005532976.tif 000012
【図１２】
0005532976.tif 000013
【図１３】
0005532976.tif 000014
【図１４】
0005532976.tif 000015